(57)【要約】【課題】選別（減容）装置を配置換えしないで、埋立地の広大な範囲の掘削作業及び埋戻し作業を行うことができる廃棄物処分場の減容化システム及び減容化方法を提供する。【解決手段】埋立地１の掘削作業範囲の移動に伴って、掘り起こされた廃棄物２ａの投入口５が移動可能な第１の多関節型のコンベア３と、この第１の多関節型コンベア３により搬送された廃棄物２ｂから鉄屑８等を選別除去する磁選別用油圧ショベル６と、この鉄屑８等を選別除去した廃棄物２ｂをその大きさに応じて例えば３種類の廃棄物２１Ｌ，２１Ｍ，２１Ｓに選別するスクリーン選別装置９と、選別処理された廃棄物２１Ｓ及び選別処理後に減容処理された廃棄物２１Ｍ，２１Ｌを搬送し、埋立地１の埋戻し作業範囲の移動に伴ってその排出側のシュート７が移動可能な第２の多関節型のコンベア２５とを有する。【選択図】図１
2005111318.tif 000002
【特許請求の範囲】
【請求項１】
埋立地の掘削作業範囲の移動に伴って、掘り起こされた廃棄物の投入口が移動可能な第１の多関節型のコンベアと、この第１の多関節型コンベアにより搬送された廃棄物を選別処理する選別装置と、この選別装置で選別処理された廃棄物及び減容処理された廃棄物を搬送し、埋立地の埋戻し作業範囲の移動に伴ってその排出側が移動可能な第２の多関節型のコンベアとを有することを特徴とする廃棄物処分場の減容化システム。
【請求項２】
廃棄物を選別処理するための選別装置と、埋立地から掘り起こされた廃棄物を前記選別装置に搬送する場合、埋立地の掘削作業範囲の移動に伴ってその投入口が移動可能であり、かつ前記選別装置で選別処理された廃棄物及び減容処理された廃棄物を搬送する場合、埋立地の埋戻し作業範囲の移動に伴ってその排出側が移動可能な共用の多関節型のコンベアとを有することを特徴とする廃棄物処分場の減容化システム。
【請求項３】
請求項１又は２記載の廃棄物処分場の減容化システムにおいて、前記多関節型のコンベアは、その投入側が自走可能な走行体上に旋回可能に設けられていることを特徴とする廃棄物処分場の減容化システム。
【請求項４】
埋立地の掘削作業範囲の移動に伴ってその投入口が移動可能な第１の多関節型のコンベアにより、埋立地から掘り起こされた廃棄物を搬送し、この搬送した廃棄物を選別装置で選別処理した後、減容処理し、埋立地の埋戻し作業範囲の移動に伴ってその排出側が移動可能な第２の多関節型のコンベアにより、選別・減容処理された廃棄物を搬送し、この搬送した廃棄物を埋立地に埋め戻すことを特徴とする廃棄物処分場の減容化方法。
【請求項５】
埋立地の掘削作業範囲の移動に伴ってその投入口が移動可能な共用の多関節型のコンベアにより、埋立地から掘り起こされた廃棄物を搬送し、この搬送した廃棄物を選別装置で選別処理した後、減容処理し、埋立地の埋め戻し作業範囲の移動に伴ってその排出側が移動可能な前記共用の多関節型のコンベアにより、選別・減容処理された廃棄物を搬送し、この搬送した廃棄物を埋立地に埋め戻すことを特徴とする廃棄物処分場の減容化方法。
【発明の詳細な説明】
【技術分野】
【０００１】
本発明は、廃棄物処分場の減容化システム及び減容化方法に関し、さらに詳しくは、埋立地の広大な範囲の掘削作業及び埋戻し作業を効率良く行う廃棄物処分場の減容化システム及び減容化方法に関するものである。
【背景技術】
【０００２】
近年、廃棄物の排出量の高水準での推移とこれを埋設する廃棄物処分場の設置の減少に伴って、廃棄物処分場の残余容量がひっ迫しており、廃棄物処分場の延命化が要望されている。そこで、処分場に埋め立てた廃棄物を掘り起こし、この掘り起こした廃棄物を選別し、選別された土砂のような不燃物は埋立地に埋め戻し、また選別された可燃物は焼却等により減容して埋立地に埋め戻すことで、廃棄物処分場の減容化を図る方法が提唱されている（例えば、特許文献１参照）。
【０００３】
【特許文献１】特開平９−１５０１２５号公報
【発明の開示】
【発明が解決しようとする課題】
【０００４】
しかしながら、上記従来技術には以下のような課題が存在する。
【０００５】
すなわち、例えば容量２００万ｍ３程度の広大な埋立地において掘削作業を行う場合、その掘削作業範囲と廃棄物を選別（減容）処理する選別（減容）装置とが離れてしまうので、掘り起こした廃棄物を例えばダンプトラックまたはコンベア等により選別（減容）装置に搬送しなければならない。ところが、ダンプトラックでは、搬送距離が長いほど移動も大変であり作業効率が低下していた。また、一般のコンベアでは、掘削作業範囲の移動に伴って選別（減容）装置も配置換えする場合が生じ、作業効率が低下していた。
【０００６】
同様に、一旦掘り起こした廃棄物を選別（減容）処理した後、埋戻し作業を行う場合、廃棄物を選別（減容）処理する選別（減容）装置と埋め戻す場所とが離れてしまうので、やはりダンプトラックまたはコンベア等により搬送しなければならない。そして、コンベア等で搬送する場合には、埋立て場所の移動に伴って選別（減容）装置の移動又はコンベア装置の設置し直し、或いは新たなコンベア装置の継ぎ足し等を行う必要が生じ、作業効率が低下していた。
【０００７】
本発明の目的は、選別（減容）装置を配置換えしないで、埋立地の広大な範囲の掘削作業及び埋戻し作業を効率良く行うことができる廃棄物処分場の減容化システム及び減容化方法を提供することにある。
【課題を解決するための手段】
【０００８】
（１）上記目的を達成するために、本発明の廃棄物処分場の減容化システムは、埋立地の掘削作業範囲の移動に伴って、掘り起こされた廃棄物の投入口が移動可能な第１の多関節型のコンベアと、この第１の多関節型コンベアにより搬送された廃棄物を選別処理する選別装置と、この選別装置で選別処理された廃棄物及び減容処理された廃棄物を搬送し、埋立地の埋戻し作業範囲の移動に伴ってその排出側が移動可能な第２の多関節型のコンベアとを有する。
【０００９】
本発明においては、埋立地の掘削作業範囲の移動に伴ってその投入口が移動可能な第１の多関節型のコンベアを用いて、埋立地から掘り起こした廃棄物を選別装置に搬送する。このとき、第１の多関節型コンベアは、その排出側の配置を固定しつつ投入口の配置を容易に変更することが可能である。したがって、第１の多関節型コンベアの排出側に配置された選別装置を配置換えしないで、第１の多関節型コンベアの投入口の配置を変更させながら、埋立地の広大な範囲の掘削作業を行うことができる。
【００１０】
また、埋立地の埋戻し作業範囲の移動に伴ってその排出側が移動可能な第２の多関節型のコンベアを用いて、選別装置で選別処理された廃棄物及び減容処理された廃棄物を搬送し、これを埋立地に埋め戻す。このとき、第２の多関節型コンベアは、その投入口の配置を固定しつつ排出側の配置を容易に変更することが可能である。したがって、第２の多関節型コンベアの投入口側に配置された選別（減容）装置を配置換えしないで、第２の多関節型コンベアの排出側の配置を変更させながら、埋立地の所定位置を選択して埋戻し作業を行うことができる。
【００１１】
（２）上記目的を達成するために、また本発明の廃棄物処分場の減容化システムは、廃棄物を選別処理するための選別装置と、埋立地から掘り起こされた廃棄物を前記選別装置に搬送する場合、埋立地の掘削作業範囲の移動に伴ってその投入口が移動可能であり、かつ前記選別装置で選別処理された廃棄物及び減容処理された廃棄物を搬送する場合、埋立地の埋戻し作業範囲の移動に伴ってその排出側が移動可能な共用の多関節型のコンベアとを有する。
【００１２】
本発明においては、埋立地から掘り起こされた廃棄物を選別装置に搬送する場合と、選別装置で選別処理された廃棄物及び減容処理された廃棄物を搬送する場合において、共用の多関節型コンベアを用いる。このとき、共用の多関節型コンベアは、掘り起こされた廃棄物を選別装置に搬送する場合は、その排出側の配置を固定しつつ投入口の配置を容易に変更することが可能であり、選別装置で選別処理された廃棄物及び減容処理された廃棄物を搬送する場合は、その投入口の配置を固定しつつ排出側の配置を容易に変更することが可能である。したがって、上記（１）同様、選別（減容）装置を配置換えしないで、埋立地の広大な範囲の掘削作業及び埋戻し作業を効率良く行うことができる。また、上記（１）に比べ、多関節型コンベアの台数が減り、コスト低減が図れる。
【００１３】
（３）上記（１）又は（２）において、好ましくは、前記多関節型のコンベアは、その投入側が自走可能な走行体上に旋回可能に設けられている。
【００１４】
（４）上記目的を達成するために、本発明の廃棄物処分場の減容化方法は、埋立地の掘削作業範囲の移動に伴ってその投入口が移動可能な第１の多関節型のコンベアにより、埋立地から掘り起こされた廃棄物を搬送し、この搬送した廃棄物を選別装置で選別処理した後、減容処理し、埋立地の埋戻し作業範囲の移動に伴ってその排出側が移動可能な第２の多関節型のコンベアにより、選別・減容処理された廃棄物を搬送し、この搬送した廃棄物を埋立地に埋め戻す。
【００１５】
（５）上記目的を達成するために、また本発明の廃棄物処分場の減容化方法は、埋立地の掘削作業範囲の移動に伴ってその投入口が移動可能な共用の多関節型のコンベアにより、埋立地から掘り起こされた廃棄物を搬送し、この搬送した廃棄物を選別装置で選別処理した後、減容処理し、埋立地の埋め戻し作業範囲の移動に伴ってその排出側が移動可能な前記共用の多関節型のコンベアにより、選別・減容処理された廃棄物を搬送し、この搬送した廃棄物を埋立地に埋め戻す。
【発明の効果】
【００１６】
本発明によれば、選別（減容）装置を配置換えしないで、埋立地の広大な範囲の掘削作業及び埋戻し作業を行うことができるので、廃棄物の減容化処理を効率良く行うことができる。
【発明を実施するための最良の形態】
【００１７】
以下、本発明の一実施形態を図面を参照しつつ説明する。
【００１８】
図１は、本発明の廃棄物処分場の減容化システムの一実施形態の概略構成を表す平面図であり、図２は、図１中矢印II方向から見た多関節型コンベアの全体構造を表す側面図であり、図３は、図１中矢印III方向から見たスクリーン選別装置の全体構造を表す側面図である。
【００１９】
これら図１〜図３において、１は対象となる廃棄物処分場の埋立地であり、２ａは例えば掘削作業具を備えた掘削用油圧ショベル等（図示せず）により埋立地１から掘り起こされ集積された廃棄物であり、３はこの掘り起こされた廃棄物２ａを搬送するための第１の多関節型のコンベアであり、４はこの第１の多関節型コンベア３の投入口（ホッパ）５に廃棄物２ａを投入するための例えば把持作業具（グラップル）４ａを備えた投入用油圧ショベルであり、６は第１の多関節型コンベア３の排出側（図１中右側）のシュート７から排出された廃棄物２ｂより鉄屑８等を選別除去するための例えば磁力吸着機（リフティングマグネット）６ａを備えた磁選別用油圧ショベルであり、９は鉄屑８等が選別除去された廃棄物２ｂをその大きさで選別するスクリーン選別装置であり、１０は投入用油圧ショベル５同様の構造を有し、スクリーン選別装置９の投入口（ホッパ）１１に廃棄物２ｂを投入するための例えば把持作業具（グラップル）１０ａを備えた投入用油圧ショベルである。
【００２０】
第１の多関節型コンベア３は、例えば３つの略直線状（例えば各々の搬送距離が２０ｍ〜３０ｍ程度）のベルトコンベア１２Ａ，１２Ｂ，１２Ｃが回動可能に連結されて構成されている。これらベルトコンベア１２Ａ，１２Ｂ，１２Ｃはそれら投入口５側（図２中左側）からシュート７側（図２中右側）に上向きに傾斜してそれぞれ設けられ、投入口５に投入された廃棄物２ａがベルトコンベア１２Ａ，１２Ｂ，１２Ｃの順に搬送されてシュート７から排出されるようになっている。なお、ベルトコンベア１２Ａの排出側（図２中右側）とベルトコンベア１２Ｂの受入側（図２中左側）との間、及びベルトコンベア１２Ｂの排出側とベルトコンベア１２Ｃの受入側との間には、廃棄物２ａの受け渡しを補助する部材等（図示せず）が設けられてもよい。
【００２１】
また、ベルトコンベア１２Ａ，１２Ｂ，１２Ｃの排出側下部には、例えば略円柱状のコンベア支持体１３Ａ，１３Ｂ，１３Ｃが設けられ、コンベア支持体１３Ａ，１３Ｂには、それぞれベルトコンベア１２Ｂ，１２Ｃの受入側が回動可能に連結されている。また、コンベア支持体１３Ａ，１３Ｂの下部には車輪１４がそれぞれ設けられ、コンベア支持体１３Ｃ及びベルトコンベア１２Ａの投入口５側は、それぞれ例えば左・右の無限軌道履体１５，１５等を備えた走行体１６上に旋回装置（旋回輪）１７を介し旋回可能に設けられ、自走可能としている。そして、例えば操作者が操作可能な操作レバー（図示せず）を備えた遠隔操作装置（図示せず）からの前記操作レバーに応じた無線信号を受信し、この無線信号に応じて旋回装置１７が駆動して走行体１６が旋回したり、走行体１６が走行駆動するようになっている。これにより、例えば第１の多関節型コンベア３のシュート７の配置を固定しつつ、投入口５の配置を容易に変更可能としている。
【００２２】
スクリーン選別装置９は、上記投入口１１と、この投入口１１に投入された廃棄物２ｂをその大きさに応じて例えば３種類の大きさに選別するスクリーン選別部（詳細は図示しないが、例えば複数段配設された櫛歯体の櫛歯の間隙寸法に基づき、廃棄物２ｂをその大きさで選別する構造等）１８と、このスクリーン選別部１８の下方に設けられ左・右の無限軌道履体１９，１９（但し一方の１９のみ図３に図示）を備えた走行体２０と、スクリーン選別部１８で選別された３種類の廃棄物のうち最も粒度の大きい廃棄物２１Ｌを排出するオーバーコンベア２２と、中程度の粒度の廃棄物２１Ｍを排出するミドルコンベア２３と、最も粒度の小さい廃棄物２１Ｓを排出するアンダーコンベア２４とを備えている。
【００２３】
そして、小粒度廃棄物（例えば比較的小粒度の土砂）２１Ｓは埋立地１の覆土等として利用され、中粒度廃棄物２１Ｍ及び大粒度廃棄物２１Ｌは、図示しない減容装置により減容処理される。この減容装置としては、この種のものとして公知の例えば圧縮減容する圧縮装置、加熱軟化して圧縮減容する溶融固化装置、焼却減容する焼却装置等がある。
【００２４】
２５は小粒度廃棄物２１Ｓ（または減容処理された中粒度廃棄物２１Ｍ、大粒度廃棄物２１Ｌ）を搬送するための第２の多関節型コンベアであり、２６は第２の多関節型コンベア２５の投入口５に小粒度廃棄物２１Ｓ等を投入するための例えばホイールローダである。
【００２５】
第２の多関節型コンベア２５は、例えば上記第１の多関節型コンベア３同様の構造を有し（前述の図２参照）、３つの略直線状のベルトコンベア１２Ａ，１２Ｂ，１２Ｃが回動可能に連結されて構成されている。そして、投入口５に投入された小粒度廃棄物２１Ｓ等がベルトコンベア１２Ａ，１２Ｂ，１２Ｃの順に搬送されてシュート７から排出されるようになっている。
【００２６】
また、第２の多関節ベルトコンベア２５は、上記第１の多関節型コンベア３と同様、コンベア支持体１３Ａ，１３Ｂの下部に車輪１４がそれぞれ設けられ、コンベア支持体１３Ｃ及びベルトコンベア１２Ａの投入口５側は、それぞれ左・右の無限軌道履体１５，１５等を備えた走行体１６上に旋回装置１７を介し旋回可能に設けられ、自走可能としている。そして、上記遠隔操作装置からの上記操作レバーに応じた無線信号を受信し、この無線信号に応じて旋回装置１７が駆動して走行体１６が旋回したり、走行体１６が走行駆動するようになっている。これにより、例えば第２の多関節型コンベア２５の投入口５の配置を固定しつつ、シュート７の配置を容易に変更可能としている。
【００２７】
次に、本実施形態による廃棄物処分場の減容化方法を説明する。
【００２８】
廃棄物処分場の延命化を目的として処分場に埋め立てた廃棄物を減容するため、まず掘削用油圧ショベル等により埋立地１から廃棄物を掘り起こし集積する。この掘り起こした廃棄物２ａを投入用油圧ショベル４により第１の多関節型コンベア３の投入口５に投入し、第１の多関節型コンベア３により搬送する。そして、この第１の多関節型コンベア３のシュート７より排出された廃棄物２ｂから鉄屑８等を磁選別用油圧ショベル６により選別除去し、その選別除去した廃棄物２ｂを投入用油圧ショベル１０によりスクリーン選別装置９の投入口１１に投入し、スクリーン選別装置９により大粒度廃棄物２１Ｌ、中粒度廃棄物２１Ｍ，小粒度廃棄物２１Ｓの３種類の大きさに選別する。
そして、ホイールローダ２６により小粒度廃棄物２１Ｓを第２の多関節型コンベア２５の投入口５に投入し、第２の多関節型コンベア２５により搬送する。この第２の多関節型コンベア２５のシュート７より排出された小粒度廃棄物２１Ｓを例えばホイールローダ等（図示せず）により埋立地１に覆土として埋め戻す。また、中粒度廃棄物２１Ｍ及び大粒度廃棄物２１Ｌを減容装置（例えば圧縮装置、溶融固化装置、焼却装置等）により減容し、この減容した中粒度廃棄物２１Ｍ及び大粒度廃棄物２１Ｌも同様に、第２の多関節型コンベア２５により搬送し、埋立地１に埋め戻す。
【００２９】
本実施形態においては、埋立地１の掘削作業範囲の移動に伴ってその投入口５が移動可能な第１の多関節型のコンベア３を用いて、埋立地１から掘り起こした廃棄物２ａを、埋立地１に配置された磁選別用油圧ショベル６及びスクリーン選別装置９等の近傍に搬送する。このとき、第１の多関節型コンベア３は、その排出側のシュート７の配置を固定しつつ投入口５の配置を容易に変更することが可能である。したがって、第１の多関節型コンベア３の排出側に配置された磁選別用油圧ショベル６及びスクリーン選別装置９等を配置換えしないで、第１の多関節型コンベア３の投入口５の配置を変更させながら、埋立地１の広大な範囲の掘削作業を効率よく行うことができる。
【００３０】
また、埋立地１の埋戻し作業範囲の移動に伴ってそのシュート７が移動可能な第２の多関節型のコンベア２５を用いて、選別・減容処理された廃棄物２１Ｓ，２１Ｍ，２１Ｌを搬送し、これらを埋立地１に埋め戻す。このとき、第２の多関節型コンベア２５は、その投入口５の配置を固定しつつ排出側のシュート７の配置を容易に変更することが可能である。したがって、第２の多関節型コンベア２５の投入口５側に配置された磁選別用油圧ショベル６及びスクリーン選別装置９等（並びに上述した減容装置等）を配置換えしないで、第２の多関節型コンベア２５の排出側のシュート７の配置を変更させながら、埋立地１の所定位置を選択して埋戻し作業を効率よく行うことができる。
【００３１】
なお、上記一実施形態においては、第１及び第２の多関節型コンベア３，２５は、その投入口５側及びシュート７側が走行体１６上に旋回装置１７を介し旋回可能に設けられた構造を例に取り説明したが、これに限られない。すなわち、例えば多関節型コンベアは走行体１６に代えて車輪を備え、油圧ショベル等により牽引されて投入口５及びシュート７の配置が容易に変更可能な構成としてもよい。この場合も、上記同様の効果を得ることができる。
【００３２】
また、上記一実施形態においては、第１及び第２の多関節型コンベア３，２５は、複数のベルトコンベア１２Ａ，１２Ｂ，１２Ｃが回動可能に連結された構成を例に取り説明したが、これに限らず、例えば複数のチェーンコンベア、スクリューコンベア、あるいは搬送方向に伸縮可能なコンベア等が回動可能に連結された構成としてもよい。この場合も上記同様の効果を得ることができる。
【００３３】
また、上記一実施形態においては、第１及び第２の多関節型コンベア３，２５は、埋立地１内で搬送する構成を例にとって説明したが、例えば埋立地１の外側に搬送する構成としてもよいことは言うまでもない。
【００３４】
なお、上記一実施形態においては、掘り起こされた廃棄物２ａを磁選別用油圧ショベル６及びスクリーン選別装置９等の近傍に搬送する第１の多関節型コンベア３と、選別・減容処理された廃棄物２１Ｌ，２１Ｍ，２１Ｓを搬送する第２の多関節型コンベア２５とを用いた構成を例に取り説明したが、これに限らない。すなわち、掘り起こされた廃棄物２ａを磁選別用油圧ショベル６及びスクリーン選別装置９等の近傍に搬送する場合と、選別・減容処理された廃棄物２１Ｌ，２１Ｍ，２１Ｓを搬送する場合において、例えば上記多関節型コンベア３（または２５）を共用してもよい。このような変形例においても、上記一実施形態同様、磁選別用油圧ショベル６及びスクリーン選別装置９等（並びに上述した減容装置等）を配置換えしないで、埋立地１の広大な範囲の掘削作業及び埋戻し作業を行うことができる。また、上記一実施形態に比べ、多関節型コンベアの台数を減らすことができるので、コスト低減が図れる。
【図面の簡単な説明】
【００３５】
【図１】本発明の廃棄物処分場の減容化システムの一実施形態の概略構成を表す平面図である。
【図２】図１中矢印II方向から見た側面図であり、本発明の廃棄物処分場の減容化システムの一実施形態を構成する多関節型コンベアの全体構造を表す。
【図３】図１中矢印III方向から見た側面図であり、本発明の廃棄物処分場の減容化システムの一実施形態を構成するスクリーン選別装置の全体構造を表す。
【符号の説明】
【００３６】
１      埋立地
２ａ，２ｂ  廃棄物
３      第１の多関節型コンベア
５      投入口
６      磁選別用油圧ショベル（選別装置）
９      スクリーン選別装置（選別装置）
１６    走行体
２５    第２の多関節型コンベア
２１Ｌ  大粒度廃棄物
２１Ｍ  中粒度廃棄物
２１Ｓ  小粒度廃棄物
【図１】
2005111318.tif 000003
【図２】
2005111318.tif 000004
【図３】
2005111318.tif 000005